(57)【要約】【課題】  落札物に関する情報を購入後直ちに入力でき、業務効率の高い、情報管理システム、落札物データのデータ構造、情報読み出し方法及び情報管理サーバを提供すること。【解決手段】  オークションの出品物の出品物情報が記憶された情報記憶媒体から前記出品物情報を電気的又は光学的に読み取る携帯端末機と、前記携帯端末機からネットワークを介して送信された前記出品物情報を登録する情報管理サーバとを有する落札物情報登録システムにおいて、前記携帯端末機は、前記出品物の写真を撮影する写真撮影手段と、前記情報記憶媒体から前記出品物情報を読み取る情報読み取り手段とを有し、前記情報管理サーバは、写真撮影手段により撮影された写真と前記情報読み取り手段により読み取られた前記出品物情報を受信する情報受信手段と、前記情報受信手段により受信した前記出品物情報をデータベースに登録する情報登録手段とを有することを特徴とする落札物情報登録システムを提供する。【選択図】  図１
2005122629.tif 000002
【特許請求の範囲】
【請求項１】
オークションの出品物の出品物情報が記憶された情報記憶媒体から前記出品物情報を電気的又は光学的に読み取る携帯端末機と、前記携帯端末機からネットワークを介して送信された前記出品物情報を登録する情報管理サーバとを有する落札物情報登録システムにおいて、
前記携帯端末機は、前記出品物の写真を撮影する写真撮影手段と、前記情報記憶媒体から前記出品物情報を読み取る情報読み取り手段と、を有し、
前記情報管理サーバは、写真撮影手段により撮影された写真と前記情報読み取り手段により読み取られた前記出品物情報を受信する情報受信手段と、前記情報受信手段により受信した前記出品物情報をデータベースに登録する情報登録手段と、
を有することを特徴とする落札物情報登録システム。
【請求項２】
オークションの出品物の出品物情報が記憶された情報記憶媒体が撮影された情報記憶媒体画像データとオークションで落札された落札物が撮影された落札物画像データとを有する落札物データのデータ構造であって、
前記情報記憶媒体画像データと前記落札物画像データとが、前記出品物を識別するための識別情報で関連づけられている、
ことを特徴とする落札物データのデータ構造。
【請求項３】
前記識別情報は車両を一意に特定する情報であることを特徴とする請求項２記載の落札物データ構造。
【請求項４】
前記識別情報は、車両の車台番号を含むことを特徴とする請求項２又は３記載のデータ構造。
【請求項５】
オークションの出品物の出品物情報が記憶された情報記憶媒体から光学的に情報を読み出す携帯端末機における情報読み出し方法であって、
前記情報記憶媒体から前記出品物を識別するための識別情報を部分的に読み取る識別情報読み取り手順と、
前記識別情報読み取り手順により読み出された識別情報を前記携帯端末機に表示する情報表示手順と、
を有することを特徴とする情報読み出し方法。
【請求項６】
オークションの出品物の情報が記憶された情報記憶媒体から該情報を電気的又は光学的に読み取る携帯端末機とネットワークを介して接続可能な情報管理サーバであって、
前記携帯端末機により読み取られ送信された情報を受信する情報受信手段と、
前記情報受信手段により受信した情報をデータベースに登録する情報登録手段と、
を有することを特徴とする情報管理サーバ。
【請求項７】
前記情報記憶媒体は、２次元コードが印刷された印刷物又はＩＣタグで、前記出品物に付着していることを特徴とする請求項６記載の情報管理サーバ。
【請求項８】
前記情報記憶媒体は、２次元コードが印刷された印刷物又はＩＣタグで、所定の冊子に印刷又は貼付されていることを特徴とする請求項６記載の情報管理サーバ。
【請求項９】
所定の撮影手段により撮影されたオークションの出品物の画像を、前記情報登録手段により登録された前記情報と対応させてデータベースに登録する画像登録手段を更に有することを特徴とする、請求項６ないし８いずれか一項記載の情報管理サーバ。
【発明の詳細な説明】
【技術分野】
【０００１】
本発明は、２次元コード又はＩＣタグを利用した情報管理サーバに係り、特にオークションで落札した物品の情報を管理する情報管理サーバに関する。
【背景技術】
【０００２】
売り主が多数の者を集めて購入の申し出を促し、最高値を申し出た者に購入権を与える競売（以下、オークションという）が知られている。例えば、自動車では、中古車を売買する中古車市場が形成されており、中古車を扱う業者はオークションを利用して販売する中古車を仕入れることも多い。
【０００３】
もともと自動車は、同じ車種名であってもカラー、年式、装備品など個々の車両で異なる。更に中古車の場合は、個々の車両で、走行距離、破損の有無などが異なるため、中古車を扱う業者が管理すべき情報が多い。
【０００４】
管理すべき情報は、車種名や走行距離など数値や文字の情報であるため、文字の取り扱いが可能な２次元コードに保存することができる。例えば、特許文献１記載の発明では、入手したい商品に関する情報が２次元コードに記録されており、商品と共に２次元コードを配置する方法が開示されている。消費者が２次元コードの配置された商品を購入する場合には、スキャナなどで２次元コードを読み取ることで、対応した商品に関する詳しい情報を入手することができる。
【特許文献１】特開２００１−１６０１０５号公報
【発明の開示】
【発明が解決しようとする課題】
【０００５】
しかしながら、特許文献１記載の発明のように、２次元コードに記録された情報を入手するだけでは、当該情報を改めてコンピュータなどに入力する必要がある。したがって、オークションで落札した中古車に関する情報を直ちに入力できないという問題があった。
【０００６】
また、これまで、中古車をオークションで落札した業者は、自社のコンピュータに、落札した中古車の車両情報を手で入力していた。この場合には、上記問題に加えて、管理すべき情報の入力に時間がかかり、業務効率が悪いという問題があった。
【０００７】
本発明は、上記問題に鑑み、落札物に関する情報を購入後直ちに入力でき、業務効率の高い、情報管理システム、落札物データのデータ構造、情報読み出し方法及び情報管理サーバを提供することを目的とする。
【課題を解決するための手段】
【０００８】
上記問題を解決するため、請求項１記載の発明は、オークションの出品物の出品物情報が記憶された情報記憶媒体から前記出品物情報を電気的又は光学的に読み取る携帯端末機と、前記携帯端末機からネットワークを介して送信された前記出品物情報を登録する情報管理サーバとを有する落札物情報登録システムにおいて、前記携帯端末機は、前記出品物の写真を撮影する写真撮影手段と、前記情報記憶媒体から前記出品物情報を読み取る情報読み取り手段とを有し、前記情報管理サーバは、写真撮影手段により撮影された写真と前記情報読み取り手段により読み取られた前記出品物情報を受信する情報受信手段と、前記情報受信手段により受信した前記出品物情報をデータベースに登録する情報登録手段と、を有することを特徴とする。
【０００９】
請求項１記載の発明によれば、落札物に関する情報を購入後直ちに入力でき、業務効率の高い情報管理システム、落札物データのデータ構造、情報管理サーバを提供することができる。
【００１０】
また、請求項２記載の発明は、オークションの出品物の出品物情報が記憶された情報記憶媒体が撮影された情報記憶媒体画像データとオークションで落札された落札物が撮影された落札物画像データとを有する落札物データのデータ構造であって、前記情報記憶媒体画像データと前記落札物画像データとが、前記出品物を識別するための識別情報で関連づけられていることを特徴とする。
【００１１】
請求項２記載の発明によれば、オークションの出品物を識別できる識別情報で、２次元コードの画像データと落札物の画像データを関連づけることができる。したがって、情報管理サーバにおいて、２次元コードからデコードされた落札物の情報と落札物の画像データを対応させて登録できる。
【００１２】
また、請求項３記載の発明は、請求項２記載のデータ構造において、前記識別情報は車両を一意に特定する情報であることを特徴とする。
【００１３】
請求項３記載の発明によれば、車両を一意に特定する情報で落札物の情報と落札物の画像データを対応させることができる。
【００１４】
また、請求項４記載の発明は、請求項２又は３記載のデータ構造において、前記識別情報は、車両の車台番号を含むことを特徴とする。
【００１５】
請求項４記載の発明によれば、オークションの落札物が自動車である場合に自動車を識別可能とする車台番号で、２次元コードの画像データと落札物の画像データを関連づけることができる。
【００１６】
また、請求項５記載の発明は、オークションの出品物の出品物情報が記憶された情報記憶媒体から光学的に情報を読み出す携帯端末機における情報読み出し方法であって、前記情報記憶媒体から前記出品物を識別するための識別情報を部分的に読み取る識別情報読み取り手順と、前記識別情報読み取り手順により読み出された識別情報を前記携帯端末機に表示する情報表示手順と、を有することを特徴とする。
【００１７】
請求項５記載の発明によれば、出品物を識別する情報を、２次元コードから部分的にデコードするので、デコードの処理時間が低減できる。
【００１８】
また、請求項６記載の発明は、オークションの出品物の情報が記憶された情報記憶媒体から該情報を電気的又は光学的に読み取る携帯端末機とネットワークを介して接続可能な情報管理サーバであって、前記携帯端末機により読み取られ送信された情報を受信する情報受信手段と、前記情報受信手段により受信した情報をデータベースに登録する情報登録手段とを有することを特徴とする。
【００１９】
請求項６記載の発明によれば、携帯端末機で読み取られた情報をオークション会場などその場でデータベースに登録できるので、後に情報の登録をする必要がなくなり業務効率を向上できる。
【００２０】
また、請求項７記載の発明は、請求項６記載の情報管理サーバにおいて、２次元コードが印刷された印刷物又はＩＣタグで、前記出品物に付着していることを特徴とする。
【００２１】
また、請求項８記載の発明は、請求項６記載の情報管理サーバにおいて、前記情報記憶媒体は、２次元コードが印刷された印刷物又はＩＣタグで、所定の冊子に印刷又は貼付されていることを特徴とする。
【００２２】
また、請求項９記載の発明は、所定の撮影手段により撮影されたオークションの出品物の画像を、前記情報登録手段により登録された前記情報と対応させてデータベースに登録する画像登録手段を更に有することを特徴とする。
【００２３】
請求項９記載の発明によれば、オークション出品物に係る情報に対応させて、該出品物の画像をデータベースに登録することができる。
【発明の効果】
【００２４】
落札物に関する情報を落札物後直ちに入力でき、業務効率の高い、情報管理システム、落札物データのデータ構造、情報読み出し方法及び情報管理サーバを提供することができる。
情報管理サーバを提供することができる。
【発明を実施するための最良の形態】
【００２５】
本発明の情報管理サーバについて、オークションで落札した中古車を例に取り、実施例を交えながら説明する。なお、本発明は下記の実施例に限定されるものではなく、本発明の範囲内で種々の変形及び変更が可能である。
【００２６】
〔第１実施例〕
図１は、本実施例における中古車の情報管理システムの構成図を示す。図１の情報管理システムでは、情報管理サーバ３が、例えばインターネットやＬＡＮなどのネットワーク１に接続されている。２次元コード１０は、オークション運営会社のパソコン６により、２次元コード１０の印刷機能を有するプリンター８から打ち出される。打ち出された２次元コード１０は、中古車７等に付着させられる。オークション会場では、中古車７本体又は中古車７の近傍の表示板などに２次元コード１０が付着させられている。そして、オークションに参加する中古車業者は、ネットワーク１に接続可能な携帯端末機５を有する。
【００２７】
本実施例では、中古車業者が携帯端末機５で２次元コード１０を撮像する。そして、２次元コードからデコードした情報（以下、中古車情報と称す）を情報管理サーバ３へ送信すると、情報管理サーバ３は受信した中古車情報を所定のデータベースへ登録する。
【００２８】
２次元コード１０について説明する。１次元のバーコードは、バーの太さとバー同士の間隔というバーの配列でのみ情報を表現する。これに対し、２次元コードは、マトリックス状のパターンであって、数個のドットで構成されているセルをマトリックスの各行列に配列して情報を表現する。２次元コードでは、記憶できる情報量が多いのが特徴である。なお、２次元コードは、中古車本体又は中古車７の近傍の表示板などに付着させられていなくともよく、例えばオークションで使用される冊子に、中古車と対応するように印刷されていてもよい。
【００２９】
図２（ａ）は、オークションで使用される冊子の一例を示す。冊子は、図２（ａ）のように、出品物である中古車７の写真８、中古車に関する情報の表示欄２０、印刷された２次元コード１０を有する。オークションの来場者は、冊子に記載された中古車に関する情報や中古車７の写真を見てオークションに参加する。２次元コード１０には、中古車に関する情報の表示欄２０に表示された情報がコード化されて記録されている。中古車に関する情報については次述する。
【００３０】
オークションで使用される冊子は、一般には植物性の繊維（紙）で形成されるが、ガラス又はフィルムに挟まれた液晶分子や荷電粒子を電極で制御して、情報記憶媒体を表示する電子ペーパーや液晶ディスプレーであってもよい。
【００３１】
２次元コードとしては、ＱＲコード（登録商標）、ＰＤＦ４１７（登録商標）、ＤａｔａＭａｔｒｉｘ（登録商標）、Ｍａｘｉ Ｃｏｄｅ（登録商標）など種々のタイプが提案されている。本発明では、いずれの２次元コードも利用可能である。図１には一例としてＱＲコードを示す。
【００３２】
図２（ｂ）は、２次元コードに記憶される中古車に関する情報の一例を示す。図２（ｂ）に示すように、２次元コードをデコードすると、当該中古車の車台番号、オークション名、出品番号、色、走行距離、装備品、評価点、検査結果、の情報が得られる。
【００３３】
車台番号は、自動車の製造時に打刻される自動車を識別する番号である。オークション名は、当該中古車が出品されたオークションを識別するためのオークション名を表す。出品番号は、当該オークションにおいて出品物に付された出品物の識別番号である。色は、当該中古車の色を表す。走行距離は、当該中古車がこれまでに走行した距離を表す。装備品は、例えばオーディオ機器など、当該中古車の装備を表す。評価点は、当該中古車の品質を表し、例えば５点満点に対する点数で表される。検査結果は、オークション運営会社の査定員が行った査定や修理履歴の所見等が記載されている。
【００３４】
なお、本実施例における情報記憶媒体は、図２（ｂ）の中古車情報を記憶でき、記憶された中古車情報が、携帯端末機で読み取り可能であればよい。したがって、２次元コード１０は、例えばＩＣタグであってもよい。
【００３５】
ＩＣタグは対象物に取り付けたＩＣチップとアンテナから成っている。ＩＣチップ内に記憶された図２（ｂ）の中古車情報は、外部からの電波により接触せず情報の読み取りができる。ＩＣタグは、バーコードと異なり、電波の届く範囲であれば、どんな向きであっても読み取れるので、読み取り作業の手間が省ける。また、ＩＣタグは、情報の更新や追加、複数個体の一括認識が可能である。
【００３６】
続いて、携帯端末機５について説明する。携帯端末機５は、携帯電話機やＰＤＡ（Ｐｅｒｓｏｎａｌ Ｄａｔａ  Ａｓｓｉｓｔａｎｔ）などである。携帯端末機５は、２次元コード１０が読み取り可能で、ネットワーク１へ接続可能であればよい。また、２次元コードを読み取る機能は、携帯端末機５から取り外し可能となっていてもよい。したがって、例えばデジタルカメラで２次元コードを撮像し、撮像された画像を通信機能を備えたノート型コンピュータでネットワーク１へ接続する実施の形態としてもよい。
【００３７】
図３は、携帯端末機５の機能構成図を示す。携帯端末機５は、ＣＰＵ（中央処理装置）３３、ＲＯＭ３４、ＲＡＭ３５、記憶装置３６、通信装置３７、情報読み取り部３２、表示部３１、を有する。ＣＰＵ３３は、携帯端末機５の機能を総合的に制御する。ＲＯＭ３４は、携帯端末機５のＯＳ（Ｏｐｅｒａｔｉｎｇ  Ｓｙｓｔｅｍ）や２次元コードをデコードするためのプログラム、通信のためのプログラム等を格納している。ＲＡＭ３５は、ＲＯＭ３４のプログラムや情報読み取り部３２で撮影した画像を一時的に保持し、プログラムの実行や情報の処理を行うために使用される。記憶装置３６は、読み取った情報や後述する中古車の写真などを保存可能な記憶装置である。通信装置３７は、ネットワーク１と接続するための通信機能を提供する。例えば、携帯端末機５が携帯電話の場合には、携帯電話会社の基地局（図示せず）と接続を可能とする。
【００３８】
情報読み取り部３２は、２次元コード１０を読み取るための撮像部であり、例えば個体撮像素子を備えたＣＣＤカメラである。情報読み取り部３２は、２次元コード１０を撮像する。撮像された２次元コードの画像はＲＡＭ３５へ一時的に保存される。ＣＰＵ３３は所定のプログラムを起動し、撮像された画像をデコードする。情報記憶媒体としてＩＣタグを用いた場合には、情報読み取り部３２は、ＩＣタグが有するアンテナとデータ通信可能な電波、例えば数百〜数ＧＨｚの電波を発信し、ＩＣチップの記憶する情報を読み込む。表示部３１は、情報読み取り部３２で読み取った情報などを表示する。
【００３９】
続いて、情報管理サーバ３について説明する。図４（ａ）は、情報管理サーバ３のハードウェア構成図を示す。情報管理サーバ３は、それぞれバスを介して相互に接続されているＣＰＵ４１（中央処理装置）、入出力制御装置４２、ドライブ装置４３、通信装置４４，主記憶装置４５、記憶装置４６、を有するように構成される。
【００４０】
ＣＰＵ４１は、情報管理サーバ３が行う処理を統括的に制御する。入出力制御装置４２、記憶装置４５やドライブ装置４３、通信装置４４とのデータの入出力を制御する。ドライブ装置４３は、記録媒体４８からプログラムやデータを読み込み、又、記録媒体４８にプログラムやデータを書き込む。通信装置４４は、ネットワーク１に接続する為のインターフェースであり、例えばモデム，ルータ等で構成される。主記憶装置４５は、オペレーティングシステムやプログラム、データを一時保管する記憶領域である。記憶装置４６は、プログラム、データの保管装置である。記憶装置４６は、携帯端末機５から送信された中古車情報を格納する情報管理データベースを有する。記録媒体４８は、情報管理サーバ３の各種機能を提供するプログラムが記録された記録媒体であり、例えばＣＤ−ＲＯＭ等である。また、フラッシュメモリーなどを使用したメモリーカード等であってもよい。
【００４１】
図４（ｂ）は、情報管理サーバ３の機能構成図を示す。情報管理サーバ３は、携帯端末機５から送信された情報をネットワーク１を介して受信する情報受信手段４０１、受信した情報を情報管理データベース４１０に登録する情報登録手段４０２を有する。
【００４２】
情報管理データベース４１０は、情報格納部４１１と画像格納部４１２とを有する。図５（ａ）は情報格納部４１１のデータ構成の一例を示す。情報格納部４１１には、中古車情報が各中古車ごとに登録されている。情報格納部４１１のレコードは、中古車ＩＤを有する点で、図２（ｂ）の中古車情報と異なる。中古車ＩＤは、情報格納部４１１に登録された各中古車を識別し、又、画像格納部４１２に格納された中古車の画像とを結びつけるための識別コードである。図５（ａ）では、中古車ＩＤとして車台番号が登録されている。その他の情報は図２（ｂ）と同一であるのでその説明は省略する。
【００４３】
図５（ｂ）は、画像格納部４１２のデータ構成の一例を示す。画像格納部４１２には、図５（ａ）の中古車ＩＤと共に中古車の画像が登録されている。
【００４４】
図５（ｃ）は、車両マスタデータベースのデータ構成の一例を示す。車両マスタデータベースは、車台番号に応じて、車種、型式、駆動、排気量、ＭＴ／ＡＴ、ハンドル、の情報を有する。したがって、車台番号がわかれば、該中古車の、車種、型式、駆動、排気量、ＭＴ／ＡＴ、ハンドル、各情報が得られる。なお、車種は中古車の一般名称を表す。型式は自動車の車種を特定するコードを表す。駆動は、Ｆ／Ｆならフロントエンジン／フロントドライブを表す。排気量は自動車のエンジンの排気量を表す。ＭＴ／ＡＴは、マニュアルトランスミッション又はオートマティックトランスミッションの別を表す。ハンドルは右ハンドル又は左ハンドルの別を表す。
【００４５】
続いて、フローチャート図に基づき２次元コード１０の撮像から情報管理データベース４１０への中古車情報の登録までを説明する。図６（ａ）は、オークション会場において中古者業者が行う操作の流れを、図６（ｂ）は、情報管理サーバ３が行う処理を示す。
【００４６】
ステップＳ５０１では、中古車業者の操作により、落札した中古車の２次元コード１０が携帯端末機５により撮像される。情報読み取り部３２は２次元コードを撮像し、２次元コードの画像はＲＡＭ３５に一時的に保存される。中古車業者は、引き続き落札した他の中古車の２次元コードを撮像してもよい。
【００４７】
ステップＳ５０２では、携帯端末機５が、撮像された２次元コード１０をデコードする。中古者業者の操作又は撮像後自動的に、ＣＰＵ３３は、ＲＯＭ３４から２次元コードをデコードするためのプログラムをＲＡＭ３５へ読み込む。次いで、ＣＰＵ３３は、２次元コードをデコードするためのプログラムを実行し、ステップＳ５０１で撮像した２次元コードの画像をデコードする。デコードが終了すると、図２（ｂ）のような中古車情報は記憶装置３６へ一時的に保存される。デコードの終了した２次元コードの画像は、記憶装置３６に保存してもよいし、そのまま破棄してもよい。
【００４８】
ステップＳ５０３では、携帯端末機５は、記憶装置３６に保存された中古車情報を情報管理サーバ３へ送信する。中古車業者の操作により又は２次元コードをデコード後自動的に、通信装置３７は例えば携帯電話会社の基地局へ接続し、基地局を介して所定のプロトコルでネットワーク１に接続する。携帯端末機５は、ネットワーク１を介してデータ通信可能となると、記憶装置３６から中古車情報を送信する。
【００４９】
次に、情報管理サーバが行う処理を図５（ｂ）のフローチャート図に基づき説明する。ステップＳ５１１では、ネットワーク１に接続している情報管理サーバ３の情報受信手段４０１が、ステップＳ５０３で携帯端末機５から送信された中古車情報を受信する。
【００５０】
中古車情報を受信すると、情報登録手段４０２は、情報管理サーバ５の記憶装置４６が有する情報管理データベース４１０の情報格納部４１１へ中古車情報を登録する。情報格納部４１１には当該中古車の情報が１レコード追加される。次いで、情報登録手段４０２は、当該中古車を識別するため、例えば車台番号を中古車ＩＤとしてレコードに書き込む。以上で、オークション会場から送信した中古車情報が、中古車業者の情報管理データベースに登録された。
【００５１】
中古車の画像は、図４（ｂ）の画像格納部４１２へ格納される。本実施例では、中古車の画像は、落札した中古車を受け入れてから撮像してもよいし、オークションを開催した者から配布を受けてもよい。中古車業者は、入手した中古車の画像を画像格納部４１２へ登録する。情報記憶媒体としてＩＣタグを用い、ＩＣチップに中古車の画像が保存されている場合には、中古車情報と共に情報管理サーバ３へ送信してもよい。
【００５２】
本実施例によれば、中古車を落札したオークション会場で該中古車の情報を情報管理データベースに登録できるので、これまで中古車に関する情報を手で入力していた場合と比べ業務効率を向上できる。
【００５３】
〔第２実施例〕
第１実施例では、中古車の情報を登録する情報管理サーバについて説明した。第２実施例では、中古車情報と対応させて中古車の写真を登録可能な情報管理サーバについて説明する。
【００５４】
図７は、第２実施例における情報管理サーバ３の機能構成図を示す。第１実施例の機能構成図である図４（ｂ）とは、中古車の写真を画像格納部４１２へ登録する画像登録手段７０３を有する点で異なる。なお、図４（ａ）及び図４（ｂ）と同一構成部の説明は省略する。
【００５５】
フローチャート図に基づいて、中古車情報及び中古車の画像の登録について説明する。  図８（ａ）は、オークション会場における処理の流れを、図８（ｂ）は、画像登録手段７０３が情報管理データベース４１０の画像格納部４１２へ中古車の画像の登録を行う処理を示す。
【００５６】
ステップＳ５０１では、中古車業者の操作により、落札した中古車の２次元コード１０が携帯端末機５により撮像される。情報読み取り部３２が２次元コードを撮像し、２次元コード１０の画像はＲＡＭ３５に一時的に保持される。中古車業者は、引き続き落札した他の中古車の２次元コードを撮像してもよい。
【００５７】
ステップＳ５０２では、携帯端末機５が、撮像された２次元コードをデコードする。中古業者の操作又は撮像後自動的に、ＣＰＵ３３は、ＲＯＭ３４から２次元コードをデコードするためのプログラムをＲＡＭ３５へ読み込む。次いで、ＣＰＵ３３は、２次元コードをデコードするためのプログラムを実行し、Ｓ５０１で撮像した２次元コードの画像をデコードする。デコードが終了すると、図２（ｂ）のような中古車情報は記憶装置３６へ保存される。
【００５８】
ここで、記憶装置３６へ中古車情報を保存する際、携帯端末機５は、中古車情報に所定のファイル名を付与する。該ファイル名は、後述する中古車の画像が記録されたファイルと対応させるように、例えば車台番号がファイル名として付与される。図９は、記憶装置３６のファイル構造の一例を示す図である。記憶装置３６は、Ｓ５０２で保存された中古車情報が記録されたファイルで構成されたブロック９０１と中古車の画像が記録されたファイルで構成されたブロック９０２とを有する。
【００５９】
ステップＳ５０３では、携帯端末機５は、記憶装置３６に保存された中古車情報を情報管理サーバ３へ送信する。中古車業者の操作により、通信装置３７は例えば携帯電話会社の基地局へ接続し、基地局を介して所定のプロトコルでネットワーク１に接続する。携帯端末機５は、ネットワーク１を介してデータ通信可能となると、記憶装置３６から中古車情報を送信する。
【００６０】
ステップＳ８０４では、中古車業者が、携帯端末機５を用いて、デコードした２次元コード１０が付着させられていた中古車の画像を撮像する。２次元コード１０を撮像した情報読み取り部３２は、例えばＣＣＤカメラであるので中古車の画像を撮像できる。撮像された画像は、記憶装置３６に保存される。中古車の画像のファイル名は、携帯端末機５により、中古車情報が記録されたファイルのファイル名と対応するよう付与される。例えば、中古車情報のファイル名を車台番号に基づき「ＹＳ１３０−１０１０６３８．ＴＸＴ」とした場合には、中古車の画像が記録されたファイルのファイル名を「ＹＳ１３０−１０１０６３８．ＪＰＧ」と、拡張子を除いた部分のファイル名が一致するように付与する。これにより、中古車情報のファイルと画像が記録されたファイルを対応づけることができる。
【００６１】
次に、情報管理サーバ３は、第１実施例と同様に中古車の情報を受信し、情報格納部４１１へ登録する。情報格納部４１１への登録の処理は第１実施例と同様なので省略する。
【００６２】
次に、画像登録手段７０３が行う画像の登録の処理について図８（ｂ）のフローチャート図に基づき説明する。中古車業者は、情報管理サーバが設置されている場所へ赴き、携帯端末機５を情報管理サーバ３又は情報管理サーバ３へ接続可能なコンピュータに接続する。なお、記憶装置３６がメモリーカードなど取り外し可能な記録媒体の場合は、記録媒体のみをコンピュータに接続してもよい。
【００６３】
ステップＳ８１０では、中古車業者の操作により、画像登録手段７０３が画像登録処理を開始する。画像登録処理が開始されると、画像登録手段７０３は、記憶装置３６を検出する。
【００６４】
ステップＳ８１１では、記憶装置３６を検出した画像登録手段７０３が、記憶装置３６のブロック９０１から中古車情報のファイルを１件ずつ抽出し、情報管理データベース４１０の情報格納部４１１と照合する。
【００６５】
ステップＳ８１２では、画像登録手段７０３が、情報格納部４１１に登録された中古車情報を照合し、中古車情報が一致するレコードを検出する。中古車情報が一致するレコードを検出すると、該レコードの中古車ＩＤを情報格納部４１１から抽出する。
【００６６】
ステップＳ８１３では、画像登録手段７０３が、中古車の画像ファイルを記憶装置３６から画像格納部４１２へ登録する。照合した中古車情報のファイル名に基づき当該中古車の画像が記録されたファイルを、記憶装置３６のブロック９０２から抽出する。画像登録手段７０３は、中古車の画像が記録されたファイルをステップＳ８１２で抽出した中古車ＩＤと共に画像格納部４１２へ登録する。画像登録手段７０３は、ブロック９０１にあるすべての中古車情報のファイルについて画像を登録する作業を繰り返す。以上で、画像のデータが情報管理データベースへ登録された。
【００６７】
図１０は、情報管理データベース４１０のデータを表示するデータ表示画面の一例を示す。図１０のデータ表示画面は、当該中古車の、製造会社名・社名１０１、画像１０２、走行距離１０３、ランク１０４、車検１０５、年式１０６、装備１０７、の表示欄を有する。図１０の各表示欄には、図７の情報管理データベース４１０から対応する内容が表示される。
【００６８】
第２実施例によれば、中古車を落札したオークション会場で該中古車の情報を情報管理データベースに登録できるので、これまで中古車に関する情報を手で入力していた場合と比べ業務効率を向上できる。また、中古車の画像を効率的に情報管理データベースへ登録できるので、中古車の情報に対応させて画像を登録する作業を軽減できる。
【００６９】
〔第３実施例〕
第２実施例では、中古車情報と対応させた中古車の画像を、携帯端末機５の記憶装置３６から登録した。第３実施例では、撮像した中古車の画像を２次元コードの画像と共に、ネットワーク１を介して情報管理サーバ３へ送信する中古車情報の登録方法について説明する。
【００７０】
第３実施例では、情報管理サーバ３の機能構成図として、図７の機能構成図を用いる。フローチャート図に基づいて、中古車情報及び中古車の画像の登録について説明する。  図１１（ａ）は、オークション会場における処理の流れを示すフローチャート図を、図１１（ｂ）は、情報管理サーバ３が行う処理の流れを示すフローチャート図を示す。
【００７１】
ステップＳ１１０１では、中古車業者が携帯端末機５の情報読みより部３２で中古車７を撮像する。図１２（ａ）は撮像された中古車の画像が、携帯端末機５の表示部３１に表示された携帯端末機５の一例を示す。撮像した後、表示部３１で撮像結果を確認できる。撮像された中古車の画像が記録された中古車の画像ファイルは、携帯端末機５のＲＡＭ３５に一次的に保存される。
【００７２】
ステップＳ１１０２では、中古車業者が携帯端末機５の情報読み取り部３２で２次元コード１０を撮像する。図１２（ｂ）は、撮像された２次元コード１０が、携帯端末機５の表示部３１に表示された図を示す。撮像された２次元コード１０の画像ファイルは携帯端末機５のＲＡＭ３５に一次的に保存される。次いで、携帯端末機５は、撮像された２次元コード１０の一部分をデコードする。デコードする部分は２次元コード１０のうち、当該中古車を識別するための情報が記憶された部分である。携帯端末機５は、中古者業者の操作により又は２次元コードの撮像後自動的に、デコードを行う。
【００７３】
デコードが終了すると、図２（ｂ）のような中古車情報のうち、撮像された中古車を識別する情報を携帯端末機５の表示部３１へ表示する。撮像された中古車を識別する情報とは、例えば車台番号が好適である。また、車台番号と他の情報を組み合わせてもよいし、車台番号ではなく他の情報で中古車を識別してもよい。例えば「車種と色」を中古車を識別する情報として表示部３１に表示すると、表示部３１に表示された中古車情報が、どの中古車の中古車情報であるか、中古車業者が確認しやすくなる。
【００７４】
図１２（ｃ）は、撮像した中古車の画像１２３、撮像した２次元コード１０及び中古車を識別する情報１２２が表示部３１に表示された携帯端末機５の一例を示す。図１２（ｃ）では、中古車を識別する情報１２２として、「車台番号とオークション名と出品番号」が表示されている。中古車業者は、中古車の画像１２３と中古車を識別する情報１２２の組み合わせが正しいか否か確認する。
【００７５】
ステップＳ１１０３では、携帯端末機５がステップＳ１１０１で撮像した中古車の画像ファイルにファイル名を付与し又はファイルのプロパティーに中古車の画像に係る内容を書き込む。画像ファイルにファイル名を付与する場合には、表示部３１で、中古車の画像１２３と中古車を識別する情報１２２の組み合わせを確認した中古車業者の操作により、携帯端末機５が、中古車の画像ファイル名を、２次元コードの画像と対応するように付与する。例えば、２次元コード１０の一部分からデコードした車台番号や中古車を識別する情報１２２を中古車の画像のファイル名として付与する。２次元コードの画像と対応するように中古車の画像にファイル名が付与されると、情報登録サーバ３で、中古車の画像を中古車情報と関連づけて情報管理データベース４１０へ登録することが容易になる。
【００７６】
画像ファイルのプロパティーに中古車の画像に係る内容を書き込む場合には、プロパティーの各項目に２次元コード１０の一部分からデコードした車台番号等を書き込むことができる。図１３は、中古車の画像ファイルのプロパティーの一例を示す。図１３では、ファイルのプロパティーを構成する項目１３１として、タイトル、サブジェクト、分類、キーワード、規制、コメント、が例として表示されている。また、図１３では、ファイルのプロパティーの内容１３２として、ファイル名を表すタイトルには車台番号「ＹＳ１３０−１０１６８０」、サブジェクトには「ＡＡ落札車両画像」、分類にはオークション名と出品番号「翼ＡＡ２０８４」、キーワードには検査結果「室内汚れ、バックパネル歪み」、コメントに評価点「３．５」、がそれぞれ書き込まれている。なお、サブジェクトの内容は、携帯端末機５が、当該オークションで落札した各中古車に同一の内容で各画像ファイルのプロパティーに書き込む。サブジェクトの内容により、当該画像ファイルがオークションで落札された中古車の画像であることが示される。
【００７７】
ステップＳ１１０４では、携帯端末機５が、中古車の画像ファイル及び２次元コードの画像ファイルを情報管理サーバ３へ送信する。携帯端末機５の通信装置３７は例えば携帯電話会社の基地局へ接続し、基地局を介して所定のプロトコルでネットワーク１に接続する。携帯端末機５は、ネットワーク１を介してデータ通信可能となると、中古車の画像及び２次元コードの画像を送信する。
【００７８】
ステップＳ１１０５では、情報管理サーバ３が、受信した中古車の画像ファイル及び２次元コード１０の画像ファイルを情報管理データベース４１０へ登録する。図７の画像登録手段７０３は、ステップＳ１１０３で付与された中古車の画像のファイル名又はプロパティーから例えば車台番号を抽出し、それを中古車ＩＤとする。次いで、中古車ＩＤと共に中古車の画像を画像管理部４１２へ登録する。２次元コードの画像は中古車の画像と共に画像管理部４１２へ登録する。
【００７９】
ステップＳ１１０６では、情報管理サーバ３が、情報管理データベース４１０へ中古車情報を登録する。情報登録手段４０２は、携帯端末機５から２次元コード１０の画像ファイルを受信すると自動的に２次元コード１０をデコードする。デコードした２次元コード１０の中古車情報から、ステップＳ１１０５で画像格納部の中古車ＩＤとした車台番号を情報格納部４１１の中古車ＩＤとして取り出し、情報格納部４１１へ中古車情報を登録する。ステップＳ１１０５及びステップＳ１１０６により、車台番号に関連づけられて、中古車情報及び中古車の画像が情報管理データベース４１０に登録された。以上で、第３実施例における中古車情報及び中古車の画像の登録処理が終了する。なお、オークション運営会社により２次元コードに記録する中古車情報が異なるため、中古車業者は内容を追加してもよい。
【００８０】
第３実施例によれば、中古車を落札したオークション会場で該中古車の情報（２次元コードの画像）及び中古車の画像を情報管理データベースに登録できるので、第２実施例と比べ業務効率を向上できる。また、中古車の画像を効率的に情報管理データベースへ登録できるので、中古車の情報に対応させて画像を登録する作業を軽減できる。
【図面の簡単な説明】
【００８１】
【図１】情報管理システムの構成図の一例である。
【図２】２次元コードの印刷例及び２次元コードに記憶される中古車情報の一例である。
【図３】携帯端末機の機能構成図の一例である。
【図４】情報管理サーバの構成図の一例である。
【図５】情報管理データベースのデータ構成図の一例である。
【図６】第１実施例の処理の流れを示すフローチャート図の一例である。
【図７】第２実施例における情報管理サーバの機能構成図の一例である。
【図８】第２実施例の処理の流れを示すフローチャート図の一例である。
【図９】携帯端末機における記憶装置のファイル構造の一例を示す図である。
【図１０】情報管理データベースのデータを表示するデータ表示画面の一例である。
【図１１】第３実施例の処理の流れを示すフローチャート図の一例である。
【図１２】携帯端末機に表示される内容の一例を示す図である。
【図１３】中古車の画像ファイルのプロパティーの一例を示す図である。
【符号の説明】
【００８２】
１      ネットワーク
３      情報管理サーバ
５      携帯端末機
７      中古車
１０    ２次元コード
３２    情報読みより部
４１    ＣＰＵ
４２    Ｉ／Ｏ制御部
４３    入出力部
４４    通信部
４５    主記憶装置
４６    記憶装置
４０１  情報受信手段
４０２  情報登録手段
４１０  情報管理データベース
７０３  画像登録手段
【図１】
2005122629.tif 000003
【図２】
2005122629.tif 000004
【図３】
2005122629.tif 000005
【図４】
2005122629.tif 000006
【図５】
2005122629.tif 000007
【図６】
2005122629.tif 000008
【図７】
2005122629.tif 000009
【図８】
2005122629.tif 000010
【図９】
2005122629.tif 000011
【図１０】
2005122629.tif 000012
【図１１】
2005122629.tif 000013
【図１２】
2005122629.tif 000014
【図１３】
2005122629.tif 000015